(57)【要約】      （修正有）【課題】建造物の構造体等を形成するモルタル、タイル、コンクリート等に、剥離、劣化、膨張、空気・異物混入等が生じているか否かを表面側から非破壊で点検、健全部と不健全部とを自動的に判別することにより、作業者の疲労軽減と、点検作業の正確度、信頼性、及び効率を向上させる点検具を提供する。【解決手段】支軸部（２５）を有する操作棹（２０）と、前記支軸部（２５）に回転自在に支持されて構造体等の表面（１ａ）に接当しながら転動する転打子（３０）と、を備える。前記転打子（３０）は、横断面外形が５ないし８辺の多角形で、その外周面が５ないし８の円筒面又は楕円筒面からなる転打面（３２）に等分割され、前記転打子（３０）を点検対象物表面で転動させた際に発生する転打音を検出するためのマイクロホン（６５）により検出される転打音に基づいて、転打音解析ユニット（５５）により、健全部と不健全部とを自動的に判別する。【選択図】図１
2007132720.tif 000002
【特許請求の範囲】
【請求項１】
建造物の構造体等を形成するモルタル、タイル、コンクリート等に、剥離、劣化、膨張、空気・異物混入等が生じている不健全部が存在するか否かをその表面側から非破壊で点検するために用いられ、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっている構造体等の点検具であって、
前記転打子を点検対象物表面で転動させた際に発生する転打音を検出するためのマイクロホンを備えていること特徴とする構造体等の点検具。
【請求項２】
前記マイクロホンは、前記操作棹に防振具を介して取り付けられていることを特徴とする請求項１に記載の構造体等の点検具。
【請求項３】
前記マイクロホンにより検出される転打音に基づいて、健全部と不健全部とを自動的に判別する転打音解析ユニットを備えていることを特徴とする請求項１又は２に記載の構造体等の点検具。
【請求項４】
前記転打音解析ユニットは、前記操作棹に取り付けられていることを特徴とする請求項３に記載の構造体等の点検具。
【請求項５】
前記操作棹に、前記転打音解析ユニットを内蔵する連結ケースが取り付けられるとともに、該連結ケースに防振部材を介して集音筒が取り付けられ、該集音筒内に防振部材を介して前記マイクロホンが配設されていることを特徴とする請求項３又は４に記載の構造体等の点検具。
【請求項６】
前記転打音解析ユニットは、前記転打音の音圧レベルが第１の閾値（Ｓａ）を越えた部位を不健全部であると判定することを特徴とする請求項３から５のいずれかに記載の構造体等の点検具。
【請求項７】
前記転打音解析ユニットは、前記転打音の音圧レベルが第１の閾値（Ｓａ）を越え、かつ、前記第１の閾値（Ｓａ）を越えた時点（ｔａ）から一定時間（Ｔａ）後の所定期間（Ｔｂ）において前記第１の閾値（Ｓａ）より低い第２の閾値（Ｓｂ）を越えた場合を不健全部であると判定することを特徴とする請求項３から５のいずれかに記載の構造体等の点検具。
【請求項８】
不健全部であることを点検者に報知するための表示ランプ等の報知手段を備え、前記転打音解析ユニットは、不健全部と判定された際に前記報知手段を作動させることを特徴とする請求項３から７のいずれかに記載の構造体等の点検具。
【請求項９】
前記報知手段としての表示ランプが前記操作棹に設けられていることを特徴とする請求項８に記載の構造体等の点検具。
【請求項１０】
不健全部に目印を付けるためのマーキング装置を備え、前記転打音解析ユニットは、不健全部と判定された際に前記マーキング装置を作動させることを特徴とする請求項３から９のいずれかに記載の構造体等の点検具。
【請求項１１】
前記マーキング装置が前記操作棹における前記転打子近傍に設けられていることを特徴とする請求項１０に記載の構造体等の点検具。
【請求項１２】
前記マイクロホンにより検出される転打音データもしくは前記転打音解析ユニットから得られるデータをレコーダ等に収録することができるようにされていることを特徴とする請求項１から１１のいずれかに記載の構造体等の点検具。
【請求項１３】
前記転打子は、その外周面が５ないし８の円筒面又は楕円筒面からなる転打面に等分割されていることを特徴とする請求項１に記載の構造体等の点検具。
【請求項１４】
前記転打子は、ステンレス等の金属製であることを特徴とする請求項１に記載の構造体等の点検具。
【発明の詳細な説明】
【技術分野】
【０００１】
本発明は、建造物の躯体、壁部、床部等（以下、全てをまとめて構造体等と称する）を形成するモルタル、タイル、コンクリート等に、剥離、劣化、膨張、空気・異物混入等が生じているか否かをその表面側から非破壊で点検するために用いられる構造体等の点検具に関する。
【背景技術】
【０００２】
例えば、建造物本体の壁面に付着ないし張り付けたモルタルやタイル、あるいは、トンネル内壁部を形成するコンクリート等に、剥離、劣化、膨張、空気・異物混入等が生じていると、その剥離劣化等が生じている箇所（及びその周辺部）が脱落して大事故を引き起こすおそれがある。しかし、上記のような建造物の構造体等における剥離劣化等は、構造体等の表面を目視しただけでは見つけることが難しい。
【０００３】
そこで、従来においては、構造体等の表面を点検用ハンマーでくまなく叩打して、その打撃音（反響音）の微妙な違いに基づいて、剥離劣化等が生じている不健全部と健全部とを判別するようにしていた（一般に打診法と称される）。
【０００４】
しかしながら、前記のような点検用ハンマーを用いた打診法による点検作業は、単純作業ではあるが、高所やトンネル天井面等の点検に際してはゴンドラや梯子等に搭乗して不安定な状態、不自然な姿勢でハンマーを振る必要等もあって、極めて多大な疲労を伴い、作業が長時間に及ぶに従い、叩打点の間隔が広くなる傾向がある等、点検作業の正確度、信頼性が問題となる場合が少なからずあるとともに、作業効率も良いものではなかった。
【０００５】
そこで、本発明の発明者等は、先に、次のような構成の点検具を提案した（詳細は下記特許文献１を参照）。すなわち、基本的には、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっており、好ましい態様では、前記転打子は、ステンレス等の金属製で、その外周面が５ないし８の円筒面又は楕円筒面からなる転打面に等分割されてなる。
【０００６】
かかる構成の点検具を用いて、構造体等を形成するモルタル、タイル、あるいは、コンクリート等に剥離劣化等が生じているか否かを点検するに際しては、操作棹を手に持って転打子を構造体等の表面に押し当て、この状態で、操作棹を左右、前後、あるいは上下に振るか又は移動させる。
【０００７】
これにより、転打子は、構造体等の表面から離れることなく、その外周面の角部が構造体等の表面との間の摩擦係止力により支点となって転動する。ここで、横断面外形が正六角形の転打子の場合は、概ね６０度回転する毎に、転打面が構造体等の表面に接当して打撃音（転打音）を発する。つまり、転打子が支軸回りを１回転する間に、６面の転打面が構造体等の表面に次々と接当して、６回の打撃音が概ね等間隔で発せられる。この場合、転打子の転打面が円筒面又は楕円筒面とされているので、転打子の転動時に、転打面は構造体等の表面に線接触して打撃音を発する。線接触であることから、例えば転打子が六角ナットのような形状をしていて転打面全体が接触（面接触）する場合に比して、接当圧が格段に大きくなるので、転打子が小さくても、また、構造体等の表面への転打子の押し付け力が弱くても大きな打撃音が発せられる。さらに、転打子の回転軸線が構造体等の表面に対して多少傾斜していても所要の打撃音が得られる。
【０００８】
したがって、かかる転打面が構造体等の表面に次々と接当したときに発せられる打撃音（転打音）に基づいて、点検用ハンマーを用いた場合と同様に、剥離劣化等が生じている不健全部と正常な健全部とを判別することができる。
【０００９】
そのため、かかる点検具では、建造物の構造体等におけるモルタルやコンクリート等に剥離劣化等が生じている不健全部が存在するか否かをその表面側から非破壊で点検することができることに加えて、転打子を構造体等の表面に沿って転動させて打撃音を得るようにしているので、従来のハンマーを用いる場合に比して、点検作業を容易にしかも効率良く行え、作業者の疲労を可及的に軽減でき、点検作業の正確度、信頼性を向上させることができる。
【００１０】
【特許文献１】特開２００４−２８５８１号公報
【発明の開示】
【発明が解決しようとする課題】
【００１１】
しかしながら、前記提案の点検具においても、剥離劣化等が生じている不健全部が存在するか否か、つまり、健全部と不健全部との判別は、打撃音（転打音）の微妙な差を点検者が聞き分けることにより行っているので、個人差が出やすく、健全部と不健全部とを正確には判別することができない場合があった。
【００１２】
本発明は、前記した如くの問題を解消すべくなされたもので、その目的とするところは、建造物の構造体等におけるモルタルやコンクリート等に剥離劣化等が生じている不健全部が存在するか否かをその表面側から非破壊で点検することができるとともに、健全部と不健全部とを正確かつ自動的に判別することができ、もって、作業者の疲労を可及的に軽減できて、点検作業の正確度、信頼性、及び効率を向上させることができる構造体等の点検具を提供することにある。
【課題を解決するための手段】
【００１３】
前記の目的を達成すべく、本発明に係る構造体等の点検具は、建造物の構造体等を形成するモルタル、タイル、コンクリート等に、剥離、劣化、膨張、空気・異物混入等が生じている不健全部が存在するか否かをその表面側から非破壊で点検するために用いられるもので、基本的には、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっており、前記転打子を点検対象物表面で転動させた際に発生する転打音を検出するためのマイクロホンを備えていること特徴としている。
【００１４】
前記マイクロホンは、好ましくは、前記操作棹に防振具を介して取り付けられる。
好ましい態様では、前記マイクロホンにより検出される転打音に基づいて、健全部と不健全部とを自動的に判別する転打音解析ユニットを備える。
前記転打音解析ユニットは、好ましくは、前記操作棹に取り付けられる。
【００１５】
この場合、好ましくは、前記操作棹に、前記転打音解析ユニットを内蔵する連結ケースが取り付けられるとともに、該連結ケースに防振部材を介して集音筒が取り付けられ、該集音筒内に防振部材を介して前記マイクロホンが配設される。
【００１６】
前記転打音解析ユニットは、好ましくは、前記転打音の音圧レベルが第１の閾値（Ｓａ）を越えた部位を不健全部であると判定するか、又は、前記転打音の音圧レベルが第１の閾値（Ｓａ）を越え、かつ、前記第１の閾値（Ｓａ）を越えた時点（ｔａ）から一定時間（Ｔａ）後の所定期間（Ｔｂ）において前記第１の閾値（Ｓａ）より低い第２の閾値（Ｓｂ）を越えた場合を不健全部であると判定するようにされる。
【００１７】
他の好ましい態様では、不健全部であることを点検者に報知するための表示ランプ等の報知手段を備え、前記転打音解析ユニットは、不健全部と判定された際に前記報知手段を作動させるようにされる。
【００１８】
この場合、好ましくは、前記報知手段としての表示ランプは前記操作棹に設けられる。
別の好ましい態様では、不健全部に目印を付けるためのマーキング装置を備え、前記転打音解析ユニットは、不健全部と判定された際に前記マーキング装置を作動させるようにされる。
【００１９】
この場合、好ましくは、前記マーキング装置は前記操作棹における前記転打子近傍に設けられる。
他の好ましい態様では、前記マイクロホンにより検出される転打音データもしくは前記転打音解析ユニットから得られるデータをレコーダ等に収録することができるようにされる。
また、前記転打子は，好ましくは、ステンレス等の金属製とされ、その外周面が５ないし８の円筒面又は楕円筒面からなる転打面に等分割される。
【発明の効果】
【００２０】
このような構成とされた本発明に係る構造体等の点検具の好ましい態様においては、転打音を検出するためのマイクロホン、該マイクロホンにより検出される転打音に基づいて、健全部と不健全部とを自動的に判別する転打音解析ユニット、及び、不健全部であることを点検者に報知するための表示ランプ等が設けられるので、建造物の構造体等におけるモルタルやコンクリート等に剥離劣化等が生じている不健全部が存在するか否かをその表面側から非破壊で点検することができるとともに、健全部と不健全部とを正確かつ自動的に判別することができ、そのため、作業者の疲労を可及的に軽減できて、点検作業の正確度、信頼性、及び効率を向上させることができる。
【００２１】
また、マイクロホンが操作棹に防振具を介して取り付けられるので、転打子が転動した際の操作棹等の振動がマイクロホンに伝播するのを抑制でき、そのため、転打音を一層正確に検出することができ、判別精度を向上することができる。
【発明を実施するための最良の形態】
【００２２】
以下、本発明の構造体等の点検具の実施の形態を図面を参照しながら説明する。
【００２３】
図１は、本発明に係る構造体等の点検具の一実施形態を示す正面図である。
図示実施形態の点検具１０は、図２に示される建造物の壁部１等を形成するモルタル、タイル、コンクリート等に、剥離、劣化、膨張、空気・異物混入等が生じているか否かをその表面１ａ側から非破壊で点検するために用いられるもので、多段伸縮式の操作棹２０（約５０〜６０ｃｍ）と、該操作棹２０の先端部を構成する支軸部２５に回転自在に支持されて壁部表面１ａに接当しながら転動せしめられる転打子３０と、を備え、前記操作棹２０（の最下段）に、後述する転打音解析ユニット５５やバッテリ５６を内蔵する連結ケース５０が取り付けられるとともに、該連結ケース５０に防振具７０（防振部材７１〜７４）を介して円筒状の集音マイクユニット６０が取り付けられている（図７、図８参照）。
【００２４】
前記操作棹２０は、例えばカメラの三脚（のうちの一本）等のような構成とされ、最下段パイプ２１から順次小径のパイプ及び支軸部２５が引き出し可能に嵌挿保持された構造となっている。
【００２５】
前記転打子３０は、ステンレス等の金属製で直径が２５ｍｍ程度とされ、図１〜図３に加えて、図４を参照すればよくわかるように、横断面外形が正六角形で縦断面外形が円弧又は楕円弧の対向辺を持つ多面体とされ、その外周面が６面の円筒面からなる転打面３２、３２、・・・に等分割されている。
【００２６】
この転打子３０は、その中心軸線（回転軸線）Ｏが前記操作棹２０上、つまり、前記支軸部２５の中心軸線と一致するように配在されている。
より詳細には、図４に示される如くに、前記転打子３０の中心軸線（回転軸線）Ｏ上に有底の雌ねじ穴３５が形成されるとともに、この雌ねじ穴３５が螺合せしめられる側面視逆Ｔ字状の筒状体とされた雄ねじ部材４０が前記支軸部２５に回転自在に外嵌され、前記支軸部２５における前記雄ねじ部材４０より先端側に、該雄ねじ部材４０が前記支軸部２５から抜け落ちるのを阻止する係止手段としてのストッパ４５が外嵌固定されている。
【００２７】
前記転打子３０は、支軸部２５の上方から前記雄ねじ部材４０にねじ込まれて固定係止されており、その雌ねじ穴３５の円錐状天底部３６が支軸部２５の半球状先端部に乗るようになっている。
【００２８】
このような構成とされた本実施形態の点検具１０を用いて、壁部１を形成するモルタル、タイル、あるいは、コンクリート等に剥離劣化等が生じているいるか否かを点検するに際しては、図２に示される如くに、操作棹２０を手に持って転打子３０を壁部表面１ａに押し当て、この状態で、操作棹２０を左右、前後、あるいは上下に振るか又は移動させる。
【００２９】
これにより、転打子３０は、図５、図６に示される如くに、壁部表面１ａから離れることなく、その外周面の角部３３、３３、・・・が壁部表面１ａとの間の摩擦係止力により支点となって転動する。ここで、本実施形態の転打子３０は、横断面外形が正六角形であるから、概ね６０度回転する毎に、転打面３２、３２、・・・が壁部表面１ａに接当して打撃音を発する。つまり、転打子３０が支軸回りを１回転する間に、６面の転打面３２が壁部表面１ａに次々と接当して、６回の打撃音（転打音）が概ね等間隔で発せられる。この場合、転打子３０の転打面３２、３２、・・・が円筒面とされているので、該転打子３０の転動時に、転打面３２、３２、・・・は壁部表面１ａに線接触して打撃音を発する。線接触であることから、例えば転打子が六角ナットのような形状をしていて転打面全体が接触（面接触）する場合に比して、接当圧が格段に大きくなるので、転打子３０が小さくても、また、壁部表面１ａへの転打子３０の押し付け力が弱くても大きな打撃音が発せられる。さらに、転打子３０の回転軸線Ｏが壁部表面１ａに対して多少傾斜していても所要の打撃音が得られる。
【００３０】
したがって、かかる転打面３２、３２、・・・が壁部表面１ａに次々と接当したときに発せられる打撃音（転打音）に基づいて、剥離劣化等が生じている不健全部と健全部とを判別することができる。
【００３１】
ここで、本実施形態では、健全部と不健全部とを正確かつ自動的に判別することができるようにすべく、前記転打子３０を点検対象物表面で転動させた際に発生する転打音を検出するためのマイクロホン６５を有する集音マイクユニット６０及び前記マイクロホン６５により検出される転打音に基づいて、健全部と不健全部とを自動的に判別する転打音解析ユニット５５を備えている。
【００３２】
詳細には、図７、図８に示される如くに、前記操作棹２０の最下段パイプ（グリップ）２１の下部外周に薄箱状の連結ケース５０が外嵌固着され、この連結ケース５０内に転打音解析ユニット５５及びバッテリ５６が所定の態様で配設され、また、連結ケース５０の外周表面に、解析開始ー終了操作を行うための押しボタンスイッチ５１が配設されている。なお、前記マイクロホン６５及び転打音解析ユニット５５は、押しボタンスイッチ５１のＯＮ／ＯＦＦに応じてバッテリ５６からの電力供給が断接される。
【００３３】
前記連結ケース５０の一側端側には、防振具７０を介して、集音筒６２と静電型（コンデンサ型）のマイクロホン６５を有する集音マイクユニット６０が取り付けられている。
【００３４】
前記防振具７０は、前記連結ケース５０内に固定された断面リップ溝形状の小箱からなる防振用支持ケース７１と、この防振用支持ケース７１内に充填された防振ゴム７２と、前記集音筒６２の下部外周に外嵌された円筒状防振ゴム７４と、この円筒状防振ゴムの外周に外嵌される締付筒状部７３ａ及び該締付筒状部７３ａの両端から立ち下がって相互に対接せしめられたＬ形片部７３ｂからなる支持金具７３と、前記集音筒６２内に内嵌された内嵌筒状防振ゴム７５と、からなっており、前記支持金具７３のＬ形片部７３ｂ、７３ｂは、インサート成形等により防振用支持ケース７１に充填された防振ゴム７２内に埋設されて一体的に保持されている。このように防振部材（ゴム）を三重に設けることにより、高い防振効果が得られる。
【００３５】
また、前記転打音解析ユニット５５は、図９に示される如くに、前記マイクロホン６５からの信号がアナログ信号処理回路１１２を介して入力される、例えばマイクロコンピュータを内蔵する解析処理部１００を備え、この解析処理部１００において健全部であるか不健全部であるかの判別を行い、不健全部であると判定された場合には、駆動回路１２１を介して、操作棹２０の最下段パイプ２１の上部に設けられた表示ランプ８０を点灯させる処理を行うようになっている。なお、図１０に示される如くに、不健全部に目印を付けるためのマーキング装置８５を、例えば操作棹２０における転打子３０近傍（支軸部２５）に設け、不健全部であると判定された場合には、表示ランプ８０を点灯させることに加えて、又は、それに代えて、前記マーキング装置８５を作動させるようにしてもよい。
【００３６】
次に、前記マイクロホン６５により検出される転打音に基づく、健全部と不健全部との判別処理について説明する。
【００３７】
図１２（Ａ）、（Ｂ）は、前記マイクロホン６５により検出される、前記転打子３０が健全部を転動しているときに得られる転打音の音圧レベルの波形（Ａ）と、不健全部を転動しているときに得られる転打音の音圧レベルの波形（Ｂ）とを示す。この波形図からわかるように、マイクロホン６５から得られる信号をそのまま使用したのでは、健全部と不健全部との判別が難しい。
【００３８】
そのため、本実施形態では、図９に示される転打音解析ユニット５５のアナログ信号処理部１１２において５００Ｈｚ以下の成分を減衰させるとともに、２０００Ｈｚ〜３０００Ｈｚ以上を減衰させて（例えば５００Ｈｚ〜２５００Ｈｚの成分のみを通過させて）、図１３（Ａ）、（Ｂ）に示される如くに、不健全部に特有な成分を強調するように
なす。
【００３９】
次に前記解析処理部１００において、図１４（Ａ）、（Ｂ）に示される如くに、前記転打音の音圧レベルが第１の閾値Ｓａを越えたか否かを判別し、第１の閾値Ｓａを越えた場合には、図１５（Ａ）、（Ｂ）に示される如くに、該第１の閾値Ｓａを越えた時点ｔａから一定時間Ｔａ後の所定期間Ｔｂにおいて前記第１の閾値Ｓａより低い第２の閾値Ｓｂを越えた否かを判別し、この第２の閾値Ｓｂを越えた場合を不健全部であると判定するようにされる。
【００４０】
このように、マイクロホン６５から得られる信号のうちの特定の周波数成分のみを用いるようにするとともに、健全部と不健全部との識別を第１の閾値Ｓａと第２の閾値Ｓｂを用いて二段階で行うようにすることにより、健全部であるか不健全部であるかの判別が、点検対象物に材質や点検者の個人差等に左右にくくなる。
【００４１】
以上の説明から理解されるように、本実施形態の点検具１０では、転打音を検出するためのマイクロホン６５、該マイクロホン６５により検出される転打音に基づいて、健全部と不健全部とを自動的に判別する転打音解析ユニット５５、及び、不健全部であることを点検者に報知するための表示ランプ８０等が設けられるので、建造物の構造体等におけるモルタルやコンクリート等に剥離劣化等が生じている不健全部が存在するか否かをその表面側から非破壊で点検することができるとともに、健全部と不健全部とを正確かつ自動的に判別することができ、そのため、作業者の疲労を可及的に軽減できて、点検作業の正確度、信頼性、及び効率を向上させることができる。
【００４２】
また、マイクロホン６５が操作棹２０に防振具７０を介して取り付けられるので、転打子３０が転動した際の操作棹２０等の振動がマイクロホン６５に伝播するのを抑制でき、そのため、転打音を一層正確に検出することができ、判別精度を向上することができる。
【００４３】
なお、前記実施形態では、転打子３０は、その回転軸線Ｏが前記操作棹２０上に（前記操作棹２０と平行になるように）配在されているが、これに限られることはなく、例えば、図１１に示される如くに、操作棹２０’の先端ロッド２５にＬ形ブラケット５５等を継ぎ足して、前記転打子３０を、その回転軸線Ｏが前記操作棹２０’に直交するように配在してもよい。かかる構成の点検具１２は、トンネル内壁部の天井面の点検を行う場合等に好適である。
【００４４】
また、前記実施形態では、現場においてリアルタイムで健全部と不健全部の判別を自動的に行うようにされているが、それに加えて、より高度な解析を行う必要がある場合に備えて、例えば、図１６（Ａ）に示される如くに、前記転打音解析ユニット５５にデータ取り出し用の出力端子１５０を設け、この出力端子１５０から、前記マイクロホン６５により検出される転打音データもしくは前記転打音解析ユニット５５から得られるデータをデジタルレコーダ９２に収録するようになし、この収録されたデータを後で図１６（Ｂ）に示される如くにコンピュータ９５に取り込んで解析するようにしてもよい。
【図面の簡単な説明】
【００４５】
【図１】本発明に係る構造体等の点検具の一実施形態を示す正面図。
【図２】図１に示される点検具を使用して壁部の点検作業を行っている状態を示す図。
【図３】図１に示される点検具の転打子周辺の分解斜視図。
【図４】図１に示される点検具を示し、（Ａ）は転打子周りの縦断面図、（Ｂ）は（Ａ）のＢ−Ｂ矢視断面図。
【図５】図１に示される点検具の使用状態を示す要部拡大側面図。
【図６】図１に示される点検具の動作説明に供される図。
【図７】図１に示される点検具の操作棹下端部に取り付けられた連結ケース内、防振具、及び集音マイクユニットの構成を示す部分切欠拡大図。
【図８】図７のＸ−Ｘ矢視断面図。
【図９】図１に示される点検具の転打音転打音解析ユニットの構成を示すブロック図。
【図１０】図１に示される点検具にマーキング装置を付設した例を示す図。
【図１１】転打子の回転軸線を操作棹に直交するように配在した例を示す図。
【図１２】マイクロホンにより検出される転打音に基づく健全部と不健全部との判別処理の説明に供される波形図であり、（Ａ）は健全部における波形を、（Ｂ）は不健全部における波形を示す。
【図１３】マイクロホンにより検出される転打音に基づく健全部と不健全部との判別処理の説明に供される波形図であり、（Ａ）は健全部における波形を、（Ｂ）は不健全部における波形を示す。
【図１４】マイクロホンにより検出される転打音に基づく健全部と不健全部との判別処理の説明に供される波形図であり、（Ａ）は健全部における波形を、（Ｂ）は不健全部における波形を示す。
【図１５】マイクロホンにより検出される転打音に基づく健全部と不健全部との判別処理の説明に供される波形図であり、（Ａ）は健全部における波形を、（Ｂ）は不健全部における波形を示す。
【図１６】より高度な解析を行う場合の説明に供される図であり、（Ａ）は前記転打音転打音解析ユニットにデータ取り出し用の出力端子を設け、該出力端子から打音解析ユニットから得られるデータをデジタルレコーダに収録する図、（Ｂ）はデジタルレコーダのデータをコンピュータに取り込んで解析する図。
【符号の説明】
【００４６】
１      壁部
１ａ    構造体等の表面
１０    点検具
２０    操作棹
２５    支軸部
３０    転打子
３２    転打面
３３    角部
３５    雌ねじ穴
４０    雄ねじ部材
４５    ストッパ
５０    連結ケース
５１    押しボタンスイッチ
５５    転打音解析ユニット
６０    集音マイクユニット
６２    集音筒
６５    マイクロホン
７０    防振具
７２，７４、７５    防振ゴム
７３    支持金具
８０    表示ランプ
８５    マーキング装置
【図１】
2007132720.tif 000003
【図２】
2007132720.tif 000004
【図３】
2007132720.tif 000005
【図４】
2007132720.tif 000006
【図５】
2007132720.tif 000007
【図６】
2007132720.tif 000008
【図７】
2007132720.tif 000009
【図８】
2007132720.tif 000010
【図９】
2007132720.tif 000011
【図１０】
2007132720.tif 000012
【図１１】
2007132720.tif 000013
【図１２】
2007132720.tif 000014
【図１３】
2007132720.tif 000015
【図１４】
2007132720.tif 000016
【図１５】
2007132720.tif 000017
【図１６】
2007132720.tif 000018
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
建造物の構造体等を形成するモルタル、タイル、コンクリート等に、剥離、劣化、膨張、空気・異物混入等が生じている不健全部が存在するか否かをその表面側から非破壊で点検するために用いられ、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっている構造体等の点検具であって、
該点検具は、前記転打子を点検対象物表面で転動させた際に発生する転打音を検出するためのマイクロホンと、該マイクロホンにより検出される転打音に基づいて、健全部と不健全部とを自動的に判別する転打音解析ユニットと、を備え、
該転打音解析ユニットは、前記転打音の音圧レベルが第１の閾値（Ｓａ）を越え、かつ、前記第１の閾値（Ｓａ）を越えた時点（ｔａ）から一定時間（Ｔａ）後の所定期間（Ｔｂ）において前記第１の閾値（Ｓａ）より低い第２の閾値（Ｓｂ）を越えた場合を不健全部であると判定することを特徴とする構造体等の点検具。
【請求項２】
前記マイクロホンは、前記操作棹に防振具を介して取り付けられていることを特徴とする請求項１に記載の構造体等の点検具。
【請求項３】
前記転打音解析ユニットは、前記操作棹に取り付けられていることを特徴とする請求項１又は２に記載の構造体等の点検具。
【請求項４】
前記操作棹に、前記転打音解析ユニットを内蔵する連結ケースが取り付けられるとともに、該連結ケースに防振部材を介して集音筒が取り付けられ、該集音筒内に防振部材を介して前記マイクロホンが配設されていることを特徴とする請求項３に記載の構造体等の点検具。
【請求項５】
不健全部であることを点検者に報知するための表示ランプ等の報知手段を備え、前記転打音解析ユニットは、不健全部と判定された際に前記報知手段を作動させることを特徴とする請求項１から４のいずれか一項に記載の構造体等の点検具。
【請求項６】
前記報知手段としての表示ランプが前記操作棹に設けられていることを特徴とする請求項５に記載の構造体等の点検具。
【請求項７】
不健全部に目印を付けるためのマーキング装置を備え、前記転打音解析ユニットは、不健全部と判定された際に前記マーキング装置を作動させることを特徴とする請求項１〜６のいずれか一項に記載の構造体等の点検具。
【請求項８】
前記マーキング装置が前記操作棹における前記転打子近傍に設けられていることを特徴とする請求項７に記載の構造体等の点検具。
【請求項９】
前記マイクロホンにより検出される転打音データもしくは前記転打音解析ユニットから得られるデータをレコーダ等に収録することができるようにされていることを特徴とする請求項１から８のいずれかに記載の構造体等の点検具。
【請求項１０】
前記転打子は、その外周面が５ないし８の円筒面又は楕円筒面からなる転打面に等分割されていることを特徴とする請求項１に記載の構造体等の点検具。
【請求項１１】
前記転打子は、ステンレス等の金属製であることを特徴とする請求項１に記載の構造体等の点検具。
【手続補正２】
【補正対象書類名】明細書
【補正対象項目名】００１３
【補正方法】変更
【補正の内容】
【００１３】
前記の目的を達成すべく、本発明に係る構造体等の点検具は、建造物の構造体等を形成するモルタル、タイル、コンクリート等に、剥離、劣化、膨張、空気・異物混入等が生じている不健全部が存在するか否かをその表面側から非破壊で点検するために用いられるもので、基本的には、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっており、前記点検具は前記転打子を点検対象物表面で転動させた際に発生する転打音を検出するためのマイクロホンと、該マイクロホンにより検出される転打音に基づいて、健全部と不健全部とを自動的に判別する転打音解析ユニットと、を備え、該転打音解析ユニットは、前記転打音の音圧レベルが第１の閾値（Ｓａ）を越え、かつ、前記第１の閾値（Ｓａ）を越えた時点（ｔａ）から一定時間（Ｔａ）後の所定期間（Ｔｂ）において前記第１の閾値（Ｓａ）より低い第２の閾値（Ｓｂ）を越えた場合を不健全部であると判定することを特徴としている。
【手続補正３】
【補正対象書類名】明細書
【補正対象項目名】００１４
【補正方法】変更
【補正の内容】
【００１４】
前記マイクロホンは、好ましくは、前記操作棹に防振具を介して取り付けられ、前記転打音解析ユニットは、好ましくは、前記操作棹に取り付けられる。
【手続補正４】
【補正対象書類名】明細書
【補正対象項目名】００１６
【補正方法】削除
【補正の内容】
【手続補正５】
【補正対象書類名】明細書
【補正対象項目名】００４０
【補正方法】変更
【補正の内容】
【００４０】
このように、マイクロホン６５から得られる信号のうちの特定の周波数成分のみを用い
るようにするとともに、健全部と不健全部との識別を第１の閾値Ｓａと第２の閾値Ｓｂを
用いて二段階で行うようにすることにより、健全部であるか不健全部であるかの判別が、
点検対象物に材質や点検者の個人差等に左右されにくくなる。